(57)【特許請求の範囲】
【請求項１】
光ディスク原盤を回転駆動する回転駆動手段と、前記光ディスク原盤の回転数を制御する基準パルス信号を前記回転駆動手段に供給する基準信号発生手段と、
前記光ディスク原盤の回転方向の所定角度毎に角度パルス信号を発する角度パルス発生手段と、前記角度パルス信号に基づいて前記光ディスク原盤の回転方向の角度位置を算出する角度位置算出手段と、情報記録信号に基づいて前記光ディスク原盤に記録用ビームを照射する照射手段と、前記記録用ビームの前記光ディスク原盤上での照射スポット位置を制御する照射位置制御手段と、を含む光ディスク原盤記録装置であって、
前記照射位置制御手段は、
前記基準パルス信号の位相と前記角度パルス信号の位相との位相差に応じた位相差信号を発する位相差信号発生手段と、
前記位相差信号の低周波成分に応じた基準位相差からの現在角度位置における現在偏倚位相差を算出する偏倚位相差算出手段と、
前記現在偏倚位相差に基づいて前記照射スポット位置を前記光ディスク原盤の角度方向に調整する照射位置調整手段と、
からなることを特徴とする光ディスク原盤記録装置。
【請求項２】
前記偏倚位相差算出手段は、
所定周期分サンプリングして取込んだ前記位相差を平均して算出した１周期分の角度位置に対応する位相差を基準位相差とする基準位相差算出手段と、
前記基準位相差を記憶する記憶手段と、
現在位相差と前記基準位相差とを減算して現在角度位置における前記現在偏倚位相差を算出する減算手段と、
を有することを特徴とする請求項１記載の光ディスク原盤記録装置。
【請求項３】
前記照射手段は、電子ビームを前記記録用ビームとする電子ビーム照射手段からなり、前記照射位置制御手段は、前記電子ビームの照射方向を前記現在偏倚位相差に基づいて偏向する偏向電極を有することを特徴とする請求項１記載の光ディスク原盤記録装置。
【請求項４】
前記照射手段は、光ビームを前記記録用ビームとする光ビーム照射手段からなり、前記照射位置制御手段は、前記光ビームの照射方向を前記現在偏倚位相差に基づいて偏向する偏向器を有することを特徴とする請求項１記載の光ディスク原盤記録装置。
【請求項５】
前記回転シャフトの回転方向の角度位置を検出し角度位置信号を発する角度位置検出手段をさらに含み、
前記回転駆動手段は、前記光ディスク原盤を回転せしめる回転シャフトを回転駆動するものであり、
前記照射位置制御手段は、
前記光ディスク原盤の記録面における半径方向の前記回転シャフトの変位を検出し変位検出信号を発する変位検出手段と、
前記角度位置信号と前記変位検出信号とに基づいて前記回転シャフトの基準位置からの現在角度位置における現在偏倚を算出する偏倚算出手段と、
前記現在偏倚に基づいて前記照射スポット位置を前記光ディスク原盤の半径方向に調整する照射位置調整手段と、
からなることを特徴とする請求項１乃至４のいずれか１項に記載の光ディスク原盤記録装置。
【請求項６】
前記偏倚算出手段は、
所定周期分サンプリングして取込んだ前記変位を平均して算出した１周期分の角度位置に対応する変位を前記回転シャフトの基準位置とする基準位置算出手段と、
前記基準位置を記憶する記憶手段と、
現在変位と前記基準位置とを減算して現在角度位置における前記現在偏倚を算出する減算手段と、
を有することを特徴とする請求項５記載の光ディスク原盤記録装置。
【請求項７】
前記照射手段は、電子ビームを前記記録用ビームとする電子ビーム照射手段からなり、前記照射位置制御手段は、前記電子ビームの照射方向を前記現在偏倚に基づいて偏向する偏向電極を有することを特徴とする請求項５記載の光ディスク原盤記録装置。
【請求項８】
前記照射手段は、光ビームを前記記録用ビームとする光ビーム照射手段からなり、前記照射位置制御手段は、前記光ビームの照射方向を前記現在偏倚に基づいて偏向する偏向器を有することを特徴とする請求項５記載の光ディスク原盤記録装置。
【発明の詳細な説明】
【０００１】
【発明の属する技術分野】
本発明は、光ディスク原盤に記録用ビームを照射する位置を調整する光ディスク原盤記録装置に関する。
【０００２】
【従来の技術】
光ディスク原盤に記録用ビームを照射して記録信号を記録する光ディスク原盤記録装置として、特開平６−１３１７０６号公報に開示されている装置が知られている。上述した如き装置は、スピンドルモータの回転シャフトに担持されている光ディスク原盤をスピンドルモータにより回転させて、記録用ビーム、例えば電子ビームを光ディスク原盤上に照射することにより記録信号を光ディスク原盤の記録面に記録する装置である。
【０００３】
【発明が解決しようとする課題】
しかし乍ら、上述した如く、記録信号を記録する際においてはスピンドルモータを回転駆動させることにより光ディスク原盤を回転せしめて記録するが故に、スピンドルモータの回転動作により発生した振動が光ディスク原盤に伝播した場合、又はスピンドルモータに回転変動が生じた場合には、光ディスク原盤上の適切な位置にレーザー光を照射できなくなるという問題が生じた。
【０００４】
本発明は、上述の点に鑑みてなされたものであり、その目的とするところは、記録用ビームを光ディスク原盤上の好ましい位置に照射することができる光ディスク原盤記録装置を提供することにある。
【０００５】
【課題を解決するための手段】
本発明による光ディスク原盤記録装置は、光ディスク原盤を回転駆動する回転駆動手段と、前記光ディスク原盤の回転数を制御する基準パルス信号を前記回転駆動手段に供給する基準信号発生手段と、前記光ディスク原盤の回転方向の所定角度毎に角度パルス信号を発する角度パルス発生手段と、前記角度パルス信号に基づいて前記光ディスク原盤の回転方向の角度位置を算出する角度位置算出手段と、情報記録信号に基づいて前記光ディスク原盤に記録用ビームを照射する照射手段と、前記記録用ビームの前記光ディスク原盤上での照射スポット位置を制御する照射位置制御手段と、を含む光ディスク原盤記録装置であって、前記照射位置制御手段は、前記基準パルス信号の位相と前記角度パルス信号の位相との位相差に応じた位相差信号を発する位相差信号発生手段と、前記位相差信号の低周波成分に応じた基準位相差からの現在角度位置における現在偏倚位相差を算出する偏倚位相差算出手段と、前記現在偏倚位相差に基づいて前記照射スポット位置を前記光ディスク原盤の角度方向に調整する照射位置調整手段と、からなることを特徴とする。
【０００６】
すなわち、本発明の特徴によれば、現在偏倚位相差に基づいて照射スポット位置を調整するので、スピンドルモータに回転変動が発生した場合においても光ディスク原盤上の好ましい位置に記録用ビームを照射することができる。
【０００７】
【発明の実施の形態】
以下に、本発明の実施例について図面に基づいて説明する。
図１は、本発明による光ディスク原盤記録装置の第１実施例を示す。
光ディスク原盤１は、スピンドルモータ１１により回転駆動せしめられる回転シャフト１２のターンテーブル（図示せず）に担持されている。基準信号発生器１３からは基準パルス信号がモータ制御回路１４に供給され、モータ制御回路１４は、供給された基準パルス信号に応じた回転数でスピンドルモータ１１を回転駆動すべくスピンドルモータ１１へ駆動制御信号を供給する。
【０００８】
真空容器２の底部には、ステージベース部２１とステージ可動部２２とからなるステージが設けられており、スピンドルモータ１１は、ステージベース部２１上部に設けられたステージ可動部２２上に設けられており、ネジ機構２３を介してステージ可動部２２と連結されている送りモータ２４の回転駆動によりステージ可動部２２が水平方向に移動せしめられて、スピンドルモータ１１は水平方向に移動する。ステージ可動部２２の端部には反射ミラー３１が固定されており、反射ミラー３１はレーザー測長器３２から発せられる測長用レーザー光３３を反射しレーザー測長器３２の検出部（図示せず）に入射せしめる。レーザー測長器３２は、反射ミラー３１とレーザー測長器３２の検出部との間の距離に応じた検出信号を送りモータ制御回路２５に供給する。この検出信号は、後述する記録用ビームの光ディスク原盤上での照射スポットの位置情報としてなすものである。送りモータ制御回路２５は、供給された検出信号に基づいてステージ可動部２２を移動すべく送りモータ２４に制御信号を供給する。また、記録する光ディスク原盤の記録フォーマットがＣＬＶモード（Constant Linear Velocity：線速一定モード）である場合には、光ディスク原盤上での照射スポットの半径位置に応じてスピンドルモータ１１の回転数を変更すべくレーザー測長器３２から発せられる検出信号は基準信号発生器１３に対しても供給される。
【０００９】
光ディスク原盤１の側端部近傍には、変位センサ４１が設けられており、変位センサ４１の検出信号は、増幅回路４２に供給される。増幅回路４２は、変位センサ４１と光ディスク原盤１の側端部との対向し合う面で形成される平板型コンデンサの静電容量を検出することにより変位センサ４１と光ディスク原盤１の側端部との距離に応じた信号（以下、変位検出信号と称する）を発する。
【００１０】
また、スピンドルモータ１１が回転する際には、所定の回転角度毎にパルス信号（以下、角度パルス信号と称する）を発するロータリーエンコーダー（図示せず）が設けられており、角度パルス信号は、上述した変位検出信号と共に照射位置調整回路５０に供給される。照射位置調整回路５０は、後述する偏向電極６１により生成される電場を制御する制御信号を偏向電極６１に供給する。更に、記録信号発生器７１は、光ディスク原盤１に記録すべき記録信号を発してブランキング電極６２を制御し、ブランキング電極６２は、記録すべき記録信号に応じた電場を生成する。
【００１１】
電子ビーム鏡筒６０においては、電子ビーム源６３から発せられる電子ビームは、ブランキング電極６２により生成される電場によって記録信号に応じたビームに変換され、偏向電極６１により生成される電場によって照射位置が制御された後、対物レンズ６４により集光せしめられて、光ディスク原盤１上に照射されるのである。
【００１２】
尚、上述した光ディスク原盤１、スピンドルモータ１１、回転シャフト１２、ステージベース部２１、ステージ可動部２２及び変位センサ４１は、真空容器２の内部に設けられており、電子ビーム鏡筒６０は、電子ビームの出射口が真空容器２の内部に位置するように真空容器２の上部に固定されている。
図２は、図１に示す光ディスク原盤記録装置の照射位置を調整する照射位置調整回路を示す。
【００１３】
上述した変位センサ４１の増幅回路４２から発せられる変位検出信号は、Ａ／Ｄ変換器５１に供給され、Ａ／Ｄ変換器５１は、供給された信号をディジタル信号へ変換し、入出力バス５３に供給する。
また、ロータリーエンコーダー１５から発せられる角度パルス信号は、ＣＰＵ５４の割り込み入力端子に供給されると共にカウンタ５２にも供給される。更にロータリーエンコーダー１５からは角度位置の原点を示す原点パルス信号も発せられカウンタ５２のリセット端子に供給される。カウンタ５２は角度パルス信号のパルスの数を積算し、光ディスク原盤１の回転角度に応じたディジタル値が出力されるようになされており、カウンタ５２から発せられる出力信号は、入出力バス５３へ供給される。また、原点パルス信号がカウンタ５２のリセット端子に供給されると、積算値が初期値、例えば０に設定される。
【００１４】
入出力バス５３は、ＣＰＵ５４にデータ信号又はアドレス信号が入出力されるようになされている。また、入出力バス５３には、ＲＯＭ５５、ＲＡＭ５６及びＤ／Ａ変換器５７が接続されている。ＲＯＭ５５は、図３及び図４において説明するフローチャートに従って光ディスク原盤上における照射スポットの位置を調整するプログラムを記憶している。また、Ｄ／Ａ変換器５７は、ＣＰＵ５４から発せられる照射スポットの位置を調整するための制御信号をアナログ信号に変換し、ビーム照射位置変更手段７０、例えば上述した図１に示した装置においては偏向電極６１や後述する図８に示す装置においては偏向器８３に供給する。
【００１５】
図３は、回転シャフト１２の基準位置を算出するサブルーチンを示すフローチャートである。
最初に、所定周期Ｎだけ、カウンタ５２から取込んだ回転角度位置θに対応してＡ／Ｄ変換器５１から光ディスク原盤の側端部と変位センサ４１との距離、即ち回転シャフトの変位ｘi(θ)を取込む（ステップＳ１１）。回転角度位置θと変位ｘi(θ)との関係は、図５に示す如く、低周波成分と高周波成分との重ねあわせで表される。上述した低周波成分は、例えば回転シャフトの偏芯により生ずるものであり、高周波成分は、例えばスピンドルモータの回転時に発生する回転振れにより生ずるものであり各周期毎に不規則な値となる。以下においては、この高周波成分をＮＲＲＯ（Non-Repetitive Run Out）成分と称する。
【００１６】
次に、１周期分の平均値を、例えば
【００１７】
【数１】
0003730782.tif 000002
に従って、算出する（ステップＳ１２）。ここで、ｉはｉ番目の周期で、Ｎは取込んだ全周期の数で、ｘi(θ)はｉ周期目における回転角度位置θでの変位を示す。この平均算出処理は、図６（ａ）に示す如く、ステップＳ１１において所定周期Ｎだけ取込んだ変位ｘi(θ)を、所定の回転角度位置、例えばθ＝０度を基準にして１周期分について並べ替えた後、図６（ｂ）に示す如く、回転角度位置θにおける周期１〜Ｎの変位ｘi(θ)の和を所定周期Ｎで除算するものであり、ｘ0(θ)は上述した低周波成分を抽出したものである。次いで、算出したｘ0(θ)を回転シャフトの基準位置としてＲＡＭ５６に記憶し（ステップＳ１３）、本サブルーチンを終了する。
【００１８】
図４は、回転シャフトの現在偏倚を算出し照射スポット位置を制御するサブルーチンを示す。
最初に、ロータリーエンコーダー１５から現在の回転角度位置θを取込む（ステップＳ２１）。次いで、Ａ／Ｄ変換器５１から回転シャフトの現在変位ｘ(θ)を取込む（ステップＳ２２）。ステップＳ２１で取込んだ現在回転角度位置θに対応する基準位置ｘ0(θ)を、ＲＡＭ５６から読み出す（ステップＳ２３）。この基準位置ｘ0(θ)は、上述した図３に示したフローチャートに従って算出され記憶されているものである。次に、現在偏倚Δｘ(θ)を現在変位ｘ(θ)から基準位置ｘ0(θ)を減算して求める（ステップＳ２４）。算出した現在偏倚Δｘ(θ)は、図７に示す如く、上述したＮＲＲＯ成分を抽出したものである。次に、現在偏倚Δｘ(θ)に応じた制御信号をＤ／Ａ変換器５７から偏向電極６１に発して（ステップＳ２５）、本サブルーチンを終了する。
【００１９】
図８は、本発明による光ディスク原盤記録装置の第２実施例を示す。
この光ディスク原盤記録装置は、レーザー光により光ディスク原盤に記録信号を記録するものである。尚、図１に示した光ディスク原盤記録装置の構成要素と対応する構成要素には同一の符号を付した。
レーザー光源８１から発せられる光ビームは変調器８２の変調素子（図示せず）に入射される。変調器８２には、光ディスク原盤に記録する記録信号が記録信号発生器から供給され、記録信号は、変調器８２の変調素子の屈折率を変更せしめることにより入射された光ビームを変調光ビームへ変換する。変調光ビームは偏向器８３の偏向素子（図示せず）に入射される。偏向器８３には、照射位置調整回路５０から発せられる制御信号が供給され、偏向器８３の偏向素子の屈折率を変えて、変調光ビームの出射方向を制御する。偏向器８３から出射された変調光ビームはミラー８４により光路を変更された後、対物レンズにより集光せしめられて光ディスク原盤上の記録面に照射される。
【００２０】
図９は、本発明による光ディスク原盤記録装置の第３実施例を示す。尚、図１及び図８に示した光ディスク原盤記録装置の構成要素と対応する構成要素には同一の符号を付した。
スピンドルモータ１１の回転数を制御するための基準パルス信号は、基準信号発生器１３からモータ制御回路１４へ供給されると共に、位相比較器４６へも供給される。この基準パルス信号は、図１３（ａ）に示す如く所定時間間隔毎に所定幅のパルスが発せられる信号である。また、位相比較器４６には、ロータリーエンコーダー（図示せず）から発せられる角度パルス信号も供給される。この角度パルス信号は、図１３（ｂ）に示す如きパルス信号であり、スピンドルモータ１１の回転変動により基準パルス信号に対して位相のずれが生じる。位相比較器４６は、基準パルス信号の位相と角度パルス信号の位相との比較、即ち図１３（ｃ）に示す如く、基準パルス信号の立ち上がり部と角度パルス信号の立ち上がり部のタイミングを比較し、角度パルス信号の立ち上がり部のタイミングが基準パルス信号の立ち上がり部のタイミングより遅い場合には、位相差分だけの幅を有する負のパルスを発し、角度パルス信号の立ち上がり部のタイミングが基準パルス信号の立ち上がり部のタイミングより早い場合には、位相差分だけの幅を有する正のパルスを発するのである。位相比較器４６から発せられる位相差信号とロータリーエンコーダーから発せられる角度パルス信号とが、照射位置調整回路９０に供給され、照射位置調整回路９０は、位相差信号と角度パルス信号とに基づいて偏向電極６１を制御する制御信号を発するのである。
【００２１】
図１０は、図９に示す光ディスク原盤記録装置の記録用ビームの照射スポット位置を調整する照射位置調整回路を示す。尚、図２に示した照射位置調整回路の構成要素と対応する構成要素には同一の符号を付した。
ロータリーエンコーダー１５から発せられる角度パルス信号と回転角度位置の原点を示す原点パルス信号とは、カウンタ５２に供給される。カウンタ５２は角度パルス信号のパルスの数を積算し、光ディスク原盤１の回転角度に応じたパルスの数の積算値が出力されるようになされており、カウンタ５２から発せられる出力信号は、入出力バス５３へ供給される。また、原点パルス信号がカウンタ５２のリセット端子に供給されると、積算値が初期値、例えば０に設定される。尚、上述したパルスの数の積算値は、光ディスク原盤の回転角度位置を示すものである。
【００２２】
位相比較器４６から発せられる位相差信号は、入出力バス５３に供給され、ＣＰＵ５４は、図１１及び図１２において説明するフローチャートに従って光ディスク原盤上における照射スポットの位置を調整する制御信号をビーム照射位置変更手段７０、例えば上述した図９に示した装置においては偏向電極６１や後述する図１４に示す装置においては偏向器８３に供給する。
【００２３】
図１１は、位相比較器４６から発せられる位相差信号から基準位相差を算出するサブルーチンを示す。
最初に、所定周期Ｎだけ、位相比較器４６から発せられる位相差信号から位相差θi(ｋ)を取込む（ステップＳ３１）。ここで、図１３に示す如く、ｉはｉ番目の周期を示し、ｋは１周期中のｋ番目のパルスを示す。尚、パルスの番号を示すｋは、角度パルス信号から得られる回転角度位置θとしてもよい。次に、１周期分の平均値を、例えば
【００２４】
【数２】
0003730782.tif 000003
に従って、算出する（ステップＳ３２）。この平均算出処理は、周期１〜周期Ｎの各周期におけるｋ番目のパルスの位相差θi（ｋ）の和を所定周期Ｎで除算するものである。次いで、算出したθ0(ｋ)を基準位相差としてＲＡＭ５６に記憶し（ステップＳ３３）、本サブルーチンを終了する。
【００２５】
図１２は、現在偏倚位相差を算出し照射スポット位置を制御するサブルーチンを示す。
最初に、ロータリーエンコーダー１５から現在の回転角度位置におけるパルスの積算値、即ちパルス番号ｋを取込む（ステップＳ４１）。次いで、位相比較器４６から現在位相差θ(ｋ)を取込む（ステップＳ４２）。ステップＳ４１で取込んだｋ番目のパルスに対応する基準位相差θ0(ｋ)を、ＲＡＭ５６から読み出す（ステップＳ４３）。この基準位相差θ0(ｋ)は、上述した図１１に示したフローチャートに従って算出され記憶されているものである。次に、現在偏倚位相差Δθ(ｋ)を現在位相差θ(ｋ)から基準位相差θ0(ｋ)を減算して求める（ステップＳ４４）。算出した現在偏倚位相差Δθ(ｋ)は、スピンドルモータの回転変動により生じた位相差のＮＲＲＯ成分を抽出したものである。次に、現在偏倚位相差Δθ(ｋ)に応じた制御信号をＤ／Ａ変換器５７から偏向電極６１に発して（ステップＳ４５）、本サブルーチンを終了する。
【００２６】
図１４は、本発明による光ディスク原盤記録装置の第４実施例を示す。尚、図１、図８及び図９に示した光ディスク原盤記録装置の構成要素と対応する構成要素には同一の符号を付した。
照射位置調整回路９０から発せられる制御信号は偏向器８３に供給され、偏向器８３は変調器８２において記録信号発生器７１から発せられた記録信号に応じて変調された変調光ビームの方向を制御し、変調光ビームはミラー８４及び対物レンズ８５を経た後光ディスク原盤に照射される。
【００２７】
図１５は、光ディスク原盤に照射される記録用ビームの軌跡を示す。
紙面右方が光ディスク原盤の外周方向を示し、紙面左方が光ディスク原盤の内周方向を示す。上述したステージ可動部２２を水平に移動させることにより光ディスク原盤上の照射スポット位置を移動、例えば図１５に示す如く、内周側から外周側に移動せしめることができるのである。
【００２８】
上述した第１実施例及び第２実施例に示した光ディスク原盤記録装置により、回転シャフト１２の軸振れのＮＲＲＯ成分に応じて照射スポット位置を半径方向に調整することができ、第３実施例及び第４実施例に示した光ディスク原盤記録装置により、スピンドルモータ１１の回転変動のＮＲＲＯ成分に応じて照射スポット位置を角度方向に調整することができるのである。
【００２９】
尚、上述した実施例においては、記録する光ディスク原盤の記録フォーマットがＣＡＶ（Constant Angular Velocity）モードである場合には、スピンドルモータ１１の回転数は一定であるので、図３に示したサブルーチンを図４に示したサブルーチンの処理を始める前にその回転数における基準位置ｘ0(θ)を算出し、図４に示したサブルーチンの処理を実行する際には、算出した基準位置ｘ0(θ)を読み出して現在偏倚ｘ(θ)を算出することができる。一方、記録フォーマットがＣＬＶモードである場合には、スピンドルモータ１１の回転数は照射スポット位置に応じて変化するので、図４に示したサブルーチンの処理を始める前に、記録信号を記録する際に必要な回転数の全ての範囲について基準位置ｘ0(θ)を図３に示したサブルーチンに従って予め算出しておき、記録する際における回転数に対応する基準位置ｘ0(θ)を読み出しながら現在偏倚ｘ(θ)を算出することとしても、また、所定のタイミング毎、例えば１トラック毎に基準位置ｘ0(θ)を算出して現在偏倚ｘ(θ)を算出することとしても良い。また、図１１及び図１２に示したサブルーチンを実行する際にも、上述した図３及び図４のサブルーチンを実行するタイミングで処理することができるのは明らかである。
【００３０】
また、上述した第１実施例及び第３実施例においては、照射位置調整回路５０から発せられる制御信号を偏向電極６１に供給することにより電子ビームの方向を制御する構成を示したが、制御信号と記録信号とを記録信号制御回路（図示せず）に供給し、ブランキング電極６２間に生じる電場を制御する電極制御信号を記録信号制御回路から発する構成とすることにより光ディスク原盤に照射する電子ビームを制御することとしても良い。
【００３１】
更に、上述した実施例においては、照射位置調整手段５０又は９０から発せられる制御信号を偏向電極６１、偏向器８３及び記録信号制御回路に供給することにより電子ビーム又は光ビームの方向を制御して照射位置を調整する構成を示したが、制御信号を対物レンズの位置調整手段（図示せず）に供給することにより対物レンズを移動せしめて照射位置を調整することとしてもよい。
【００３２】
【発明の効果】
以上説明した如く、本発明による光ディスク原盤記録装置によれば、現在偏倚に基づいて照射スポット位置を調整するので、回転シャフトに振動が発生した場合においても光ディスク原盤上の好ましい位置に記録用ビームを照射することができる。
【００３３】
また、本発明の他の特徴によれば、現在偏倚位相差に基づいて照射スポット位置を調整するので、スピンドルモータに回転変動が発生した場合においても光ディスク原盤上の好ましい位置に記録用ビームを照射することができる。
【図面の簡単な説明】
【図１】本発明による光ディスク原盤記録装置の第１実施例を示すブロック図である。
【図２】図１に示す光ディスク原盤記録装置の照射位置を調整する照射位置調整回路を示すブロック図である。
【図３】回転シャフトの基準位置ｘ0(θ)を算出するサブルーチンを示すフローチャートである。
【図４】回転シャフトの現在偏倚Δｘ(θ)を算出し照射スポット位置を制御するサブルーチンを示すフローチャートである。
【図５】回転シャフトの角度位置と変位センサから出力される変位検出信号との関係を示すグラフである。
【図６】図５に示した角度位置と変位との関係から所定の角度位置を基準にして１周期分の変位を重ねあわせて示したグラフ（ａ）と（ａ）に示した１周期分の変位をを角度位置について平均して算出した基準変位ｘ0(θ)を示すグラフ（ｂ）である。
【図７】変位センサから出力される変位検出信号から得られる現在変位ｘ(θ)と図６（ｂ）に示した基準変位ｘ0(θ)との差を算出して得られた現在偏倚Δｘ(θ)を示すグラフである。
【図８】本発明による光ディスク原盤記録装置の第２実施例を示すブロック図である。
【図９】本発明による光ディスク原盤記録装置の第３実施例を示すブロック図である。
【図１０】図９に示す光ディスク原盤記録装置の照射スポット位置を調整する照射位置調整回路を示すブロック図である。
【図１１】位相比較器から発せられる位相差信号から基準位相差を算出するサブルーチンを示すフローチャートである。
【図１２】現在偏倚位相差を算出し照射スポット位置を制御するサブルーチンを示すフローチャートである。
【図１３】基準信号発生器から発せられる基準パルス信号（ａ）、ロータリーエンコーダーから発せられる角度パルス信号（ｂ）及び位相比較器から発せられる位相差信号（ｃ）を示すグラフである。
【図１４】本発明による光ディスク原盤記録装置の第４実施例を示すブロック図である。
【図１５】光ディスク原盤に照射される記録用ビームの軌跡を示す図である。
【符号の説明】
１  光ディスク原盤
１１  スピンドルモータ
１２  回転シャフト
１３  基準信号発生器
１４  モータ制御回路
１５  ロータリーエンコーダー
２２  ステージ可動部
２４  送りモータ
３２  レーザー測長器
４１  変位センサ
４２  増幅回路
４６  位相比較器
５０、９０  照射位置調整回路
６１  偏向電極
６３  電子ビーム源
７１  記録信号発生器
８１  レーザー光源
８３  偏向器
【図１】
0003730782.tif 000004
【図２】
0003730782.tif 000005
【図３】
0003730782.tif 000006
【図４】
0003730782.tif 000007
【図５】
0003730782.tif 000008
【図６】
0003730782.tif 000009
【図７】
0003730782.tif 000010
【図８】
0003730782.tif 000011
【図９】
0003730782.tif 000012
【図１０】
0003730782.tif 000013
【図１１】
0003730782.tif 000014
【図１２】
0003730782.tif 000015
【図１３】
0003730782.tif 000016
【図１４】
0003730782.tif 000017
【図１５】
0003730782.tif 000018